(57)【要約】【課題】支柱方式が困難な深海域においても、海苔網に干出を与えながら、良質の海苔を育てることができ、富栄養化の進んだ閉鎖性海域においても海苔養殖を可能にし、更に、養殖海苔に海中の富栄養塩を吸収させることによって、海域の浄化を進めることにある。【解決手段】海水の排出又は流入により浮沈する浮沈式浮子３を所定距離隔てて並置し、海苔養殖網２を浮沈式浮子３の上方に配置すると共に並置した浮沈式浮子３で上方の海苔養殖網２を支持し、浮沈式浮子３の浮沈を通じて海苔養殖網２を海面上方と海中との間を昇降自在に支持する。【選択図】        図１
2004290031.tif 000002
【特許請求の範囲】
【請求項１】
海水の排出又は流入により浮沈する浮沈式浮子を所定距離隔てて並置し、海苔養殖網を浮沈式浮子の上方に配置すると共に並置した浮沈式浮子で上方の海苔養殖網を支持し、浮沈式浮子の浮沈を通じて海苔養殖網を海面上方と海中との間を昇降自在に支持すると共に浮沈式浮子の浮上位置で海苔養殖網を海面上方に支持して海苔養殖網の干出を可能にすることを特徴とする浮沈式海苔養殖網支持装置。
【請求項２】
海苔養殖網が海中に沈没、又は過沈下することを防止する予備浮子を設けた請求項１記載の浮沈式海苔養殖網支持装置。
【請求項３】
予備浮子は、浮沈式浮子同士を連結する連結器に海苔養殖網から離れる外側に向けて回動自在に支持される予備浮子支持腕の先端に取り付けられて、波動によって起きる海苔養殖網の網枠の相互干渉を防止する請求項２記載の浮沈式海苔養殖網支持装置。
【請求項４】
富栄養化の進んだ海域に設置され、海水中の富栄養塩を海苔に吸収させて刈り取ることによって海水の浄化を行う請求項１記載の浮沈式海苔養殖網支持装置。
【発明の詳細な説明】
【０００１】
【発明の属する技術分野】
本発明は、海苔養殖の網に適用される網支持装置に係り、特に、浮沈式浮子の浮沈を通じて海苔養殖網を海面上方と海面下の間で昇降自在に支持すると共に、浮沈式浮子の浮上位置で海苔養殖網を海面上方に支持して海苔養殖網の干出を可能にする浮沈式海苔養殖網支持装置に関するものである。
貝類の養殖籠の支持にも適用される。
【０００２】
【従来の技術】
これまで海苔の養殖の方法には、支柱方式と浮き流し方式の２種の方法が用いられている。
支柱方式は干潟又は砂地に支柱を立て、網を水平に張り込むために、網の四隅を支柱に縛り付ける方法で水深の浅いところで行う。
この支柱方式の特徴は干潮時の２〜３時間水平に張れた海苔網が海面に露出し乾干されることである。
この海苔網の干出によって、海苔養殖初期に急速に生育する珪藻類の増殖を防ぐことができる。
しかし、海苔養殖に適した水深をもつ干潟は近年減少してきている。浮き流し方式は、海苔養殖が盛んになり、養殖に適した海面が得られなくなったことや、上述の干潟の減少と合いまって、水深の深い沖合に養殖場所を求めたために、四方を浮子といかりで固定した木枠に浮子を付けた網を張り、海面に浮かせ、干出を与えない方法である。
従って、海苔養殖のみに力点をおくのであれば、必ずしも海苔網の干出しは必要としない。
しかし、干出しを行う支柱方式と浮き流し方式では、収穫された海苔の性質や色合い、やわらかさ、美味さが異なり、支柱方式の養殖海苔が優れている。
【０００３】
【発明が解決しようとする課題】
本発明が解決しようとする課題は、支柱方式が困難な深海域においても、海苔網に干出を与えながら、良質の海苔を育てることができ、富栄養化の進んだ閉鎖性海域においても海苔養殖を可能にする浮沈式海苔養殖網支持装置を提供することにある。
更に、養殖海苔に海中の富栄養塩を吸収させることによって、海域の浄化を進める手段を提供するものである。
【０００４】
【課題を解決するための手段】
以上の目的を達成するために、この発明は、海水の排出又は流入により浮沈する浮沈式浮子を所定距離隔てて並置し、海苔養殖網を浮沈式浮子の上方に配置すると共に並置した浮沈式浮子で上方の海苔養殖網を支持し、浮沈式浮子の浮沈を通じて海苔養殖網を海面上方と海中との間を昇降自在に支持すると共に浮沈式浮子の浮上位置で海苔養殖網を海面上方に支持して海苔養殖網の干出を可能にする手段よりなるものである。
【０００５】
ここで、請求項１の好ましい態様として、海苔養殖網が海中に沈没、又は過沈下することを防止する予備浮子を設ける。また、富栄養化の進んだ海域に設置され、海水中の富栄養塩を海苔に吸収させて刈り取ることによって海水の浄化を行う。更に、請求項２の好ましい態様として、予備浮子は、浮沈式浮子同士を連結する連結器に海苔養殖網から離れる外側に向けて回動自在に支持される予備浮子支持腕の先端に取り付けられて、波動によって起きる海苔養殖網の網枠の相互干渉を防止する。
【０００６】
【作用】
本発明では、支柱方式が困難な深海でも海苔養殖網を干出しできる浮沈式の浮子に支柱が設けられており、方形をした海苔養殖網はこの支柱に張り付けられている。
浮沈式浮子の浮力が調節されて浮力を減ずるとき海苔養殖網は海中に沈下することができる。次に、海苔養殖網に干出しを支えるときには浮沈式浮子の浮力が調節されて浮子は海面に浮上し、海苔養殖網は海面上に持ち上げられ、干出が行われる。
このように浮沈式浮子の浮力の操作によって、海苔養殖網は必要な程度（回数及び時間、干出し高さなど）干出しができ、支柱方式の海苔養殖方法と同様な海苔養殖を実現できる。
本発明では、海苔養殖網の左右（両側）に浮沈式浮子が設けてあり、海苔養殖網は水平又は傾斜にして海面上に干出できるようになっている。
本発明では、浮沈式浮子の浮力は中空円筒管をなす構造となっており円筒管内に海水を浸入させることによって浮力を減し、円筒管内の海水を圧縮空気で置換して海水を排出し浮力を増大できるようになっている。
本発明では、いくつもの浮沈式海苔養殖網支持装置が連結できるように予備浮子が連結された連結器が設けてあり、浮沈式海苔養殖網支持装置が数珠状に連結できる。又、予備浮子が連結された連結器は浮沈式海苔養殖網支持装置が互いに波浪によって干渉するのを防止するようになっており、同時に浮沈式海苔養殖網支持装置の過沈下を防ぐようになっている。
【０００７】
【発明の実施の形態】
以下、図面に記載の発明の実施の形態に基づいて、この発明をより具体的に説明する。
ここで、図１は浮沈式海苔養殖網支持装置の側面図、図２は浮沈式海苔養殖網支持装置の平面図、図３は浮沈式海苔養殖網支持装置の正面図、図４（Ａ）は浮沈式海苔養殖網支持装置の干出状態を示す図、図４（Ｂ）は浮沈式海苔養殖網支持装置の沈下状態を示す図、図５は浮沈式浮子の構成図である。
【０００８】
本発明の実施の形態の浮沈式海苔養殖網支持装置では、方形に縁取られた網枠１の縁内のほぼ全面に海苔養殖網２が張れて網戸状になっている。
【０００９】
この網枠１は、所定距離を隔てて平行に並置された両側の浮沈式浮子３に長さ方向に等間隔で垂直に設けられた複数の支柱６の上部に固定されて支持されている。つまり海苔養殖網２はこの網枠１及び支柱６を介して浮沈式浮子３に支持され、しかも浮沈式浮子３の上方位置に支持されている。海苔養殖網２は浮沈式浮子３と共に海面上方と海中との間を上下動つまり昇降できる。また、海苔養殖網２は浮沈式浮子３の上方位置に支持されているため、浮沈式浮子３が海面の浮上位置にあるときには海面上方に支持されることになり、海苔養殖網２の干出を可能にする。
【００１０】
網枠１は所定距離を隔てて平行に並置された両側の一対の浮沈式浮子３に複数個が配置される（図では簡略のため２組の場合を示す）。両側の一対の浮沈式浮子３は、横断方向に配置された複数の連結横杆によって連結されている。
【００１１】
浮沈式浮子３は網枠１の左右に設けられており、網枠１の左右両側は左右に設けられた一対の浮沈式浮子３に垂直に取り付けられた複数の支柱６によって支持され、網枠１と海苔養殖網２を（干出し時にも）ほぼ水平に又は傾斜を与えて保持できる。
【００１２】
浮沈式浮子３には内部が中空な例えば円筒状の長い密閉型の容器が使用される。この円筒状の容器を水平状に寝かした状態で、所定間隔を隔てて互いに平行になる状態で海域に並置される。前記したように、水平状に寝かした状態の浮沈式浮子３の側周面には長さ方向つまり筒芯方向に、複数の支柱６が所定間隔で設けられているが、本発明の実施の形態にあっては、各支柱６は浮沈式浮子３の側周面を上下に貫通した状態で取り付けられている。
【００１３】
内部が中空な浮沈式浮子３には送気ホース１０を通じて、図示しない空気圧縮機から空気が供給される構造になっており、このため、浮沈式浮子３には送気ホース１０の一端が接続される。送気ホース１０にはこれを開閉する弁１１が取り付けられている。また、浮沈式浮子３は長さ方向つまり軸方向に所要数連結して使用されることもあり、このため、隣同士の浮沈式浮子３の間には連結ホース９が取り付けられている。つまり、連結ホース９の一端は片側の浮沈式浮子３の内部に接続され、連結ホース９の他端は他方側の浮沈式浮子３の内部に接続されていて、複数の浮沈式浮子３は連結ホース９を通じて同一気圧になる。
【００１４】
各支柱６には内部が中空な円筒杆が使用され、各支柱６の上端は密閉され、その下端８の部位は開口している。更に、各支柱６の浮沈式浮子３の中空内部を貫通する部分は開口されていて、浮沈式浮子３の中空内部と各支柱６の中空内部とは連通状態にある。このため、浮沈式浮子３の中空内部の気圧が低い場合には海水が各支柱６の下端８部位の開口部分から浮沈式浮子３の中空内部に流入でき、逆に内部の気圧が高い場合には内部の海水は各支柱６の下端８部位の開口部分から海中に排出される構造になっている。
【００１５】
浮沈式浮子３は長さ方向つまり軸方向に所要数連結することができるように連結器４が設けてある。つまり、連結器４は軸方向の前後の浮沈式浮子３の端部の間に設けられ、連結器４の一端は片側の浮沈式浮子３の端部と連結し、連結器４の他端は他方側の浮沈式浮子３の端部と連結している。
【００１６】
この連結器４には、過沈下や沈没を防止するためのが予備浮子５が先端に取り付けられた予備浮子支持腕７の基端側が回動自在に取り付けられている。予備浮子支持腕７は基端側から先端側に向けて直線状に少し延びた後に直角に折曲されて先端に向かって直線状に延びるＬ字型の形状になっている。
【００１７】
予備浮子５は、海苔養殖網２及び浮沈式浮子３の海中への沈下時に、海面に位置して、過沈下や沈没を防止する。このため、予備浮子５が先端に取り付けられる予備浮子支持腕７の直角に折曲された先端側の長さは、各支柱６の浮沈式浮子３の表面からの高さよりも十分な高さ例えば２倍ほど高さに相当する長さを有している。
【００１８】
Ｌ字型の予備浮子支持腕７はその基端側が連結器４の側周面回りに回動自在に連結されており、又Ｌ字型の予備浮子支持腕７の直角に折曲された先端側が海苔養殖網２から離れる外側方向に向けて回動自在に軸支されている。つまり、予備浮子支持腕７の直角に折曲された先端側は、垂直な支柱６と平行な状態から海苔養殖網２に接近する内側方向に向けての回動ができないように軸支されている。
【００１９】
このため、浮沈式浮子３が海面の浮上位置にある場合、Ｌ字型の予備浮子支持腕７は海苔養殖網２から離れる外側方向に向けて回動して倒れて、その先端の予備浮子５が海面に位置して浮力が作用するために、予備浮子支持腕７を支えることになって、予備浮子５及び予備浮子支持腕７の荷重が浮沈式浮子３に作用するのを回避できる。また、予備浮子支持腕７は海苔養殖網２から離れる外側方向に向けて回動して倒れるので、倒れる予備浮子支持腕７や予備浮子５によって海苔養殖網２の一部が破損したり傷付けられたりすることは一切ない。
【００２０】
図４において、予備浮子５の動作を説明する。
海苔養殖網２の干出を行うには、浮沈式浮子３の浮力を増大させることによって、浮沈式浮子３は海面に浮上する。従って、支柱６に支持された網枠１及び海苔養殖網２は海面上方に干出される。このとき、予備浮子５は予備浮子支持腕７の形がＬ形に偏心した先端に取付けられているため網枠１の外側に開きながら倒れ、予備浮子５も海面上に浮くため、浮沈式浮子３の浮力の抵抗にならない利点があり、更に、網枠１の左右外側に開くため海苔養殖網２に乗上げる等の不都合な作動を防いでいる（図４（Ａ）参照）。
【００２１】
一方、浮沈式浮子３が浮力を減じられて、海苔養殖網２及び浮沈式浮子３が海面下に下がると予備浮子支持腕７に支えられた海面に位置する予備浮子５に浮力が作用し、浮力が作用する予備浮子５によって、上記支持腕７の深さで沈下を止めることによって海苔養殖網２は所定の水深に位置する（図４（Ｂ）参照）。
【００２２】
次に、図５を用いて、浮沈式浮子３の浮力の操作について説明する。
浮沈式浮子３には、海上から空気圧縮機によって圧縮空気が送気ホース１０を通じて送り込まれる。浮沈式浮子３の中空内部では供給された圧縮空気によって気圧が高まり、この高い気圧によって浮沈式浮子３の中空内部に流入していた海水は、浮沈式浮子３と連通状態の各支柱６の中空内部に排出され、各支柱６の中空内部に排出された海水は支柱６の下端８部位から海水中に排出され、浮沈式浮子３は浮力が得られる。この浮力によって浮沈式浮子３は海面上に浮上する。
【００２３】
浮沈式浮子３が海面上に浮上した位置で送気ホース１０の弁１１を閉める。（空気圧縮機と送気ホース１０を切り離す。）この状態では、海苔養殖網２は海面上方に突出し、干出が行われる。
【００２４】
反対に、海苔養殖網２を海水に沈下させるには、送気ホース１０に設けられた弁１１を開き、浮沈式浮子３の中空内部の空気を排気する。浮沈式浮子３の中空内部の気圧の高い空気が送気ホース１０を通じて外部に排気されると、浮沈式浮子３の中空内部の気圧が低下し、海水が各支柱６の下端８部位の開口部分から各支柱６の中空内部に流入し、流入した海水が各支柱６を通り各支柱６と連通関係にある浮沈式浮子３の中空内部に流入することによって、浮沈式浮子３の中空内部では空気と海水との置換が行われ、浮沈式浮子３は浮力が失われ、海苔養殖網２は予備浮子５に支えられる深さに沈下する。
【００２５】
このようにして、１〜２日に１回の干出し操作を行うことによって、良質の海苔を養殖できる。
この浮沈式海苔養殖網支持装置は支柱方式が不可能な海域において布設が可能であり、閉鎖性海域において富栄養化が進んだ海域に機動性をもって布設できる。
海苔養殖を無施肥にて養殖することが可能で、海苔養殖によって約８００ｇ／５０００枚程度の海水中の窒素分を吸収させ刈り取ることができる。
【００２６】
【発明の効果】
本発明により、支柱方式の海苔養殖が困難な深海（例えば１０ｍ以上）の海域においても、干出作用を与えながら海苔の養殖が可能で、良質の海苔の生産を行うことができる浮沈式海苔養殖網支持装置が提供できる。
又、海域を問わない浮沈式海苔養殖網支持装置の実現により閉鎖性の富栄養化の進んだ湾岸海域での海苔養殖を実現でき、海苔を用いた富栄養塩の回収を実現できる。
【図面の簡単な説明】
【図１】この発明の実施の形態に係る浮沈式海苔養殖網支持装置の側面図である。
【図２】この発明の実施の形態に係る浮沈式海苔養殖網支持装置の平面図である。
【図３】この発明の実施の形態に係る浮沈式海苔養殖網支持装置の正面図である。
【図４】（Ａ）はこの発明の実施の形態に係る浮沈式海苔養殖網支持装置の干出状態を示す図である。
（Ｂ）はこの発明の実施の形態に係る浮沈式海苔養殖網支持装置の沈下状態を示す図である。
【図５】この発明の実施の形態に係る浮沈式浮子の構成図である。
【符号の説明】
１：網枠
２：海苔養殖網
３：浮沈式浮子
４：連結器
５：予備浮子
６：支柱
７：予備浮子支持腕
８：下端
９：連結ホース
１０：送気ホース
１１：弁
【図１】
2004290031.tif 000003
【図２】
2004290031.tif 000004
【図３】
2004290031.tif 000005
【図４】
2004290031.tif 000006
【図５】
2004290031.tif 000007